(57)【要約】【課題】液晶パネルに応力が印加された場合の、視野角コントラスト特性の低下を抑制し、視野角コントラストのバラツキが少ない横電界方式の液晶表示装置を提供する。【解決手段】複数の薄膜トランジスタが配設されたアレイ基板と、アレイ基板に対向配置された対向基板と、アレイ基板と対向基板との間に挟持された液晶層とを備え、アレイ基板および対向基板と平行に発生させる電界により液晶を駆動する横電界方式の液晶パネルを有した液晶表示装置であって、液晶パネルは、液晶パネルに対する応力印加時に、アレイ基板および対向基板の主面に対して斜め方向に発生する位相差と直交する方向の遅相軸を有すると共に、位相差と正負逆の位相差を有する位相差フィルムを、アレイ基板および対向基板の少なくとも一方の外側に備える。【選択図】図２
2016151729.tif 000002
【特許請求の範囲】
【請求項１】
複数の薄膜トランジスタが配設されたアレイ基板と、
前記アレイ基板に対向配置された対向基板と、
前記アレイ基板と前記対向基板との間に挟持された液晶層と、を備え、
前記アレイ基板および前記対向基板と平行に発生させる電界により液晶を駆動する横電界方式の液晶パネルを有した液晶表示装置であって、
前記液晶パネルは、
前記液晶パネルに対する応力印加時に、前記アレイ基板および前記対向基板の主面に対して斜め方向に発生する位相差と直交する方向の遅相軸を有すると共に、前記位相差と正負逆の位相差を有する位相差フィルムを、前記アレイ基板および前記対向基板の少なくとも一方の外側に備える、液晶表示装置。
【請求項２】
前記液晶パネルは、
前記アレイ基板の外側に配置された偏光板をさらに備え、
前記位相差フィルムは、
前記アレイ基板と前記偏光板との間に配置される、請求項１記載の液晶表示装置。
【請求項３】
前記液晶パネルは、
前記対向基板の外側に配置された２軸位相差フィルムと、
前記２軸位相差フィルムの外側に配置された偏光板と、をさらに備え、
前記位相差フィルムは、
前記対向基板と前記２軸位相差フィルムとの間に配置される、請求項１記載の液晶表示装置。
【請求項４】
前記液晶パネルは、
前記アレイ基板の外側に配置された第１偏光板と、
前記対向基板の外側に配置された２軸位相差フィルムと、
前記２軸位相差フィルムの外側に配置された第２偏光板と、をさらに備え、
前記位相差フィルムは、
前記アレイ基板と前記第１偏光板との間に配置されると共に、前記対向基板と前記２軸位相差フィルムとの間に配置される、請求項１記載の液晶表示装置。
【請求項５】
前記位相差フィルムの位相差の絶対値は、想定される印加応力の最大値の半分程度で発生する位相差をキャンセルできる値に設定される、請求項１から請求項４の何れか１項に記載の液晶表示装置。
【請求項６】
前記液晶表示装置は、
前記アレイ基板および前記対向基板のうち表示面側となる方の主面に、光透過性粘着シートを介して貼り付けられた光透過性保護板をさらに備える、請求項５記載の液晶表示装置。
【請求項７】
前記位相差フィルムは、複屈折の値が０．１×１０−３〜１．０×１０−３である、請求項２から請求項４の何れか１項に記載の液晶表示装置。
【請求項８】
前記位相差フィルムは、複屈折の値が５．０×１０−３〜２．０×１０−２である、請求項２から請求項４の何れか１項に記載の液晶表示装置。
【発明の詳細な説明】
【技術分野】
【０００１】
本発明は液晶表示装置に関し、特に、横電界方式の液晶パネルを有する液晶表示装置に関する。
【背景技術】
【０００２】
一般に、液晶表示装置では、透明基板上に薄膜トランジスタ（ＴＦＴ：Thin Film Transistor）を複数配設したＴＦＴアレイ基板（アレイ基板）と、透明基板上にカラーフィルタを配置したカラーフィルタ基板（ＣＦ基板）との間に液晶を封止した液晶パネルを用いる。アレイ基板にはスイッチング素子および当該スイッチング素子に接続される液晶駆動電極等がマトリクス状に配置されてＴＦＴアレイを形成している。
【０００３】
また、ＣＦ基板には、Ｒ（赤）、Ｇ（緑）およびＢ（青）の着色層を含む画素および平面視で各色の着色層間に配設されるブラックマトリクスと呼称される遮蔽材が、各スイッチング素子に対応して配設されている。
【０００４】
代表的な液晶駆動方式としては、従来から、アレイ基板とＣＦ基板との間に封止された液晶に印加する電界の方向を基板との界面に対してほぼ垂直な方向とし、水平方向に配向している液晶層の分子（液晶分子）を電界により垂直方向に配向させることで動作する、ツイステッドネマティック（Twisted Nematic）方式（ＴＮ方式）が採用されている。
【０００５】
しかし、このＴＮ方式は、液晶分子が電界によって垂直方向に配向する際に、基板に対してある角度を持つため、見る方向によって明るさが異なり視野角を広くできないという問題点を有している。
【０００６】
これに対して、一方の基板に形成した櫛歯形状の電極により横電界を発生させ、液晶分子を面内で回転させることにより光透過率を制御するインプレインスイッチング（In Plane Switching）モードの液晶表示装置（横電界方式の液晶表示装置）がある。
【０００７】
横電界方式の液晶表示装置では、液晶分子の長軸は基板面とほぼ平行となり、基板の垂直方向に液晶分子が立ち上がることがないので、視角方向を変えたときの明るさの変化が小さく、いわゆる視野角依存性が殆どない。すなわち縦電界方式であるＴＮ方式の液晶表示装置に比べて非常に視野角が広く、表示品質の優れたモニター用途の液晶表示装置として知られている。
【０００８】
一方、横電界方式の液晶表示装置においては、櫛歯形状の電極の真上には横電界が生じないため、櫛歯形状の電極の真上の領域の液晶分子には電界が有効に働かず非透過の状態となる。すなわち、横電界方式の液晶表示装置は透過率が低くなるという課題があった。
【０００９】
特許文献１においては、一方の基板に積層して形成した２つのスリット状電極間にフリンジ状電界を発生させ、液晶分子を面内で回転させることにより光透過率を制御する方法が開示されている。この液晶表示モードはフリンジフィールドスイッチング（ＦＦＳ：Fringe Field Switching）モードと呼称されている。なお上記２つのスリット状電極のうち、下層側の電極を平板状電極としてもＦＦＳモードの液晶表示装置が得られる。
【００１０】
また、カーナビゲーションなど、液晶パネルを車載用途で用いる際は、運転席や助手席からディスプレイを見た場合、必然的に正面だけでなく、斜め方向から見ることになる。そのため、コントラスト特性などの光学特性を斜め方向から見た場合でも広視野角が要求されるため、２軸位相差フィルムを使った光学補償方法により、広視野角を実現している。
【００１１】
さらに屋外設置用などの表示装置では、外部からの衝撃などから表示パネルを保護する必要があるため、表示パネルの表示面を樹脂製やガラス製の透明状の保護カバーで覆う。その際、表示パネルと保護カバー間に空気層が存在すると、表示面に入射する外光が、透明状の保護カバー表裏面、フラットパネル表面で反射し、視認性が低下する問題が生じる。
【００１２】
そのため、表示パネルと保護カバーとの間隙に、透明樹脂等を充填した構成、または光透過性粘着シートを配置した構成が採られている。また、タッチパネル機能を付加した液晶パネルについても、同様の構成が採られる。
【００１３】
以上のように、液晶パネルの保護や機能追加のため、ガラス板や透明樹脂、またはタッチパネルを樹脂や透明粘着シートを介して貼り付ける構成が採られる。
【００１４】
横電界方式の液晶表示装置において、最新の車載用液晶表示装置への要求としては、運転席や助手席からディスプレイを見た場合、斜め方向から視認することが多いことから、正面だけでなく、斜め方向からの視認性も重要となっている。
【００１５】
斜め方向からの広視野角を実現するために、２軸位相差フィルムを使った光学補償方法が提案されているが、パネルなどの反りにより、パネルに応力が印加されると位相差が発生し、斜め方向の光漏れが大きくなり、視野角コントラスト特性が低下し、視認性が悪くなることがあった。
【００１６】
以上のような応力印加時における表示特性、特に横電界方式の液晶表示装置におけるコントラスト特性の劣化を抑制する方法として、特許文献１、２および３において、位相差調整層などの光学補償層を追加する方法が提案されている。しかしながら、これらの方法においては、主に正面から視認した場合におけるコントラスト特性を改善することを主眼としており、横電界方式の液晶パネルにおいて求められる斜め方向からの表示特性、コントラスト特性（視野角コントラスト特性）を有効に改善することはできなかった。
【先行技術文献】
【特許文献】
【００１７】
【特許文献１】特開２０１０−２５６６８０号公報
【特許文献２】特開２０１３−２３８８０１号公報
【特許文献３】特開２０１４−１８６３４５号公報
【発明の概要】
【発明が解決しようとする課題】
【００１８】
本発明は上記のような問題を解決するためになされたものであり、液晶パネルに応力が印加された場合の、視野角コントラスト特性の低下を抑制し、視野角コントラストのバラツキが少ない横電界方式の液晶表示装置を提供することを目的とする。
【課題を解決するための手段】
【００１９】
本発明に係る液晶表示装置は、複数の薄膜トランジスタが配設されたアレイ基板と、前記アレイ基板に対向配置された対向基板と、前記アレイ基板と前記対向基板との間に挟持された液晶層と、を備え、前記アレイ基板および前記対向基板と平行に発生させる電界により液晶を駆動する横電界方式の液晶パネルを有した液晶表示装置であって、前記液晶パネルは、前記液晶パネルに対する応力印加時に、前記アレイ基板および前記対向基板の主面に対して斜め方向に発生する位相差と直交する方向の遅相軸を有すると共に、前記位相差と正負逆の位相差を有する位相差フィルムを、前記アレイ基板および前記対向基板の少なくとも一方の外側に備える。
【発明の効果】
【００２０】
横電界方式の液晶表示装置において、応力による視野角コントラスト特性の低下を抑制し、視野角コントラストのバラツキが少ない液晶表示装置が得られる。
【図面の簡単な説明】
【００２１】
【図１】本発明に係る実施の形態１の液晶パネルの平面構成を示す図である。
【図２】本発明に係る実施の形態１の液晶パネルの断面構成を示す図である。
【図３】本発明に係る実施の形態１の液晶パネルを有した液晶モジュールの断面構成を示す図である。
【図４】本発明に係る実施の形態１の液晶パネルを有した液晶モジュールの断面構成を示す図である。
【図５】本発明に係る実施の形態１の液晶パネルに施された光学設計を示す図である。
【図６】アレイ基板の対向電極と画素電極との関係を示す図である。
【図７】通常の光学設計が施された液晶表示装置の構成を示す図である。
【図８】通常の光学設計が施された液晶表示装置で得られる平常時の視野角特性を示す図である。
【図９】通常の光学設計が施された液晶表示装置で得られる応力印加時の視野角特性を示す図である。
【図１０】液晶パネルへの応力印加の一例を模式的に示す図である。
【図１１】本発明に係る実施の形態１の液晶表示装置における応力印加時の視野角特性を示す図である。
【図１２】本発明に係る実施の形態１の変形例の液晶パネルに施された光学設計を示す図である。
【図１３】本発明に係る実施の形態１の変形例の液晶パネルに施された光学設計で得られる応力印加時の視野角特性を示す図である。
【図１４】本発明に係る実施の形態２の液晶パネルに施された光学設計を示す図である。
【発明を実施するための形態】
【００２２】
＜実施の形態１＞
＜液晶パネルの全体構成＞
本発明に係る液晶表示装置を構成する液晶パネルの全体構成について、図１および図２を用いて説明する。図１は実施の形態１の液晶パネル１００の平面構成を示す平面図であり、図２は図１におけるＡ−Ｂ線での断面図である。
【００２３】
以下では、一例として、ＴＦＴ（Thin Film Transistor）をスイッチング素子に用いて駆動される横電界方式の液晶パネルであって、特に、ＦＦＳ（Fringe Field Switching）方式を用いた液晶パネルに本発明を適用した構成について説明を行う。
【００２４】
図１および図２に示される液晶パネル１００は、ＴＦＴがマトリクス状に配列されてＴＦＴアレイを構成するＴＦＴアレイ基板（アレイ基板）１１０と、アレイ基板１１０に対して対向して配置され、画像を表示する表示面となる表示領域２００を有するカラーフィルタ基板（ＣＦ基板、対向基板）１２０と、表示領域２００に対応する領域を囲むように配置され、カラーフィルタ基板１２０とアレイ基板１１０との間に間隙を設け、当該間隙を密封するシール材１３０とを備えている。
【００２５】
このシール材１３０は、表示領域２００に対応する領域外側に配置される額縁領域１９０に配置される。また、アレイ基板１１０およびカラーフィルタ基板１２０の外形は何れも矩形となっており、アレイ基板１１０の外形の方が、カラーフィルタ基板１２０の外形よりも大きく、アレイ基板１１０の端縁部のうち連続する２辺がカラーフィルタ基板１２０の外形端面より突出した突出部を有して重ね合わせ配置されている。
【００２６】
なお、額縁領域１９０とは、液晶パネル１００のアレイ基板１１０上、カラーフィルタ基板１２０上、または両基板で規定される領域において、表示領域２００の外側に位置し、表示領域２００を取り囲む額縁状の領域、すなわち図１中で破線で囲まれた表示領域２００以外の全ての領域のことを意味している。また、表示領域２００についても、液晶パネル１００のアレイ基板１１０上、カラーフィルタ基板１２０上、または両基板で規定される領域の全てにおいて使用され、本明細書中においては全て同様の意味を持つ。
【００２７】
アレイ基板１１０とカラーフィルタ基板１２０との間には、間隙を一定距離に保持する複数の柱状スペーサ（図示省略）が表示領域２００内に配置されている。
【００２８】
このように、シール材１３０により密封され、柱状スペーサにより一定距離に保持されたカラーフィルタ基板１２０とアレイ基板１１０との間の間隙には、少なくとも表示領域２００に対応する領域に液晶層１４０が狭持されている。
【００２９】
カラーフィルタ基板１２０は、ガラス基板１２１（第１の透明基板）の一方の主面上に配設されたカラーフィルタ（色材層）１２４およびカラーフィルタ１２４間を遮光する遮光層１２５を有している。なお、遮光層１２５は、表示領域２００の外側に設けられる額縁領域１９０に対応する領域を遮光するようにも設けられている。
【００３０】
カラーフィルタ１２４は、樹脂中に赤、緑、青の顔料などを分散させた色材が規則的に配列して構成され、赤、緑、青などの特定の波長範囲の光を選択的に透過する。遮光層１２５としては、酸化クロムなどを用いた金属系の材料や樹脂中に黒色粒子を分散させた樹脂系の材料で構成される。
【００３１】
そして、カラーフィルタ１２４および遮光層１２５を覆い平坦化するオーバーコート層１２６が透明樹脂膜で形成されている。また、オーバーコート層１２６上の表示領域２００に対応する領域には、液晶を配向させる配向膜１２２ｂが設けられている。
【００３２】
また、カラーフィルタ基板１２０は、ガラス基板１２１の他方の主面上に配設された接地接続される静電気防止用透明導電層１３１を備えている。この静電気防止用透明導電層１３１は、ガラス基板１２１の表示領域２００を少なくとも覆うように設けられており、横電界方式の液晶パネルにおいて静電気による帯電や外部電界による表示不良の防止に有効である。
【００３３】
一方、アレイ基板１１０は、ガラス基板１１１（第２の透明基板）のカラーフィルタ基板１２０と対向する一方の主面上にマトリクス状に配設された複数のＴＦＴ１１４と、ＴＦＴ１１４に信号を供給する配線である複数のゲート配線１１６およびソース配線１１７と、これらの配線に接続されＴＦＴ１１４を構成するゲート電極（図示省略）およびソース・ドレイン電極（図示省略）などを有している。なお、図２では、便宜的にゲート配線１１６およびソース配線１１７の図示を省略している。
【００３４】
そして、少なくともＴＦＴ１１４、ゲート配線１１６およびソース配線１１７を覆うように絶縁膜１１５が設けられている。また、絶縁膜１１５は、アレイ基板１１０またはカラーフィルタ基板１２０の基板面と平行な方向の電界を発生し、液晶を駆動する電圧を印加する一対の電極の一方である画素電極１１２も覆っており、絶縁膜１１５上の画素電極１１２に対向する領域には、上記一対の電極の他方である対向電極１１３が設けられている。
【００３５】
そして、また、絶縁膜１１５上の表示領域２００に対応する領域には、液晶を配向させる配向膜１２２ａが対向電極１１３を覆うように設けられている。
【００３６】
なお、画素電極１１２と対向電極１１３については、一方の電極である画素電極１１２が平板形状の透明導電膜パターンで構成され、他方の電極である対向電極１１３が櫛歯形状や複数のスリット状の開口部が並列形成された透明導電膜パターンで構成され、画素電極１１２上に絶縁膜を介して重なって配置される。また、上記構成は必須ではなく、画素電極１１２と対向電極１１３について、それぞれの形状と配置の上下関係を逆として、画素電極１１２を櫛歯形状や複数のスリット状の開口部が並列形成されたパターンとして対向電極１１３より上層に配置し、対向電極１１３を平板形状として画素電極１１２より下層に配置し、ＴＦＴ１１４は、櫛歯形状や複数のスリット状の開口部を有するパターンを有する画素電極１１２に電気的に接続して電圧を印加する構成としても構わない。
【００３７】
本発明はこれらの構成との関係は薄く、画素電極１１２と対向電極１１３の具体的な平面パターン形状の図示および説明は省略するが、公知のＦＦＳ方式を用いた液晶パネルに用いられる画素電極と対向電極の平面パターン形状を採用すれば良い。
【００３８】
また、アレイ基板１１０上の絶縁膜１１５および画素電極１１２と対向電極１１３との間に形成される絶縁膜は、単層の透明絶縁膜、または複数層の透明絶縁膜の積層膜により構成される。
【００３９】
また、図１に示すように、表示領域２００に形成されたゲート配線１１６およびソース配線１１７は、それぞれが平行に複数本配列されており、これら複数本のゲート配線１１６およびソース配線１１７は、それぞれが交差して配置されることでマトリクス状をなし、交差する両配線により囲まれる領域が画素領域となっている。この画素領域に画素電極１１２およびＴＦＴ１１４が配置される。
【００４０】
また、対向電極１１３に共通電位を供給する共通配線１１３Ｌがゲート配線１１６と平行にゲート配線１１６と同数配置され、各画素領域の対向電極１１３に電気的に接続されている。これにより、各画素領域の対向電極１１３の電位を全て共通電位に共通化している。
【００４１】
また、アレイ基板１１０上における額縁領域１９０のカラーフィルタ基板１２０の端面よりも突出する突出部においては、カラーフィルタ基板１２０の配置される側の表面に、ＴＦＴ１１４に供給される信号を外部から受け入れる複数の信号端子１１８を備えている。複数の信号端子１１８は、図中では一体の構成として示しているが、実際には近接する基板端辺に対して垂直方向を長手方向として延在する矩形の複数の電極パッドが互いに電気的に分離して形成され、電極パッドの短手方向に配列された構成となっている。
【００４２】
また、この信号端子１１８のそれぞれの電極パッドに対しては、接続配線となるＦＦＣ（Flexible Flat Cable）１３６を介して制御信号などを発生する制御ＩＣ（Integrated Circuit）チップが実装された制御基板１３５が接続されている。
【００４３】
制御基板１３５からの制御信号は、信号端子１１８を介して、突出部に取り付けられた駆動ＩＣチップ１３４に入力され、駆動ＩＣチップ１３４から出力される出力信号（走査信号および映像信号）が表示領域２００から引き出された複数の信号引き出し配線（図示省略）を介して、表示領域２００内のＴＦＴ１１４に供給される。
【００４４】
また、カラーフィルタ基板１２０の外側表面に設けられる静電気防止用透明導電層１３１上には２軸位相差フィルム１３２ｄおよび偏光板１３２ａがこの順に積層されて配置されている。
【００４５】
また、アレイ基板１１０の外側表面には、位相差フィルム１３２ｃおよび偏光板１３２ｂがこの順に積層されている。これら偏光板１３２ａ、偏光板１３２ｂ、位相差フィルム１３２ｃおよび２軸位相差フィルム１３２ｄは、それぞれカラーフィルタ基板１２０およびアレイ基板１１０の少なくとも表示領域２００を覆うように配置される。なお、これら偏光板１３２ａ、偏光板１３２ｂ、位相差フィルム１３２ｃおよび２軸位相差フィルム１３２ｄについての光学設計や光学軸の設定方法および製造方法については、別途、詳細に説明する。
【００４６】
また、カラーフィルタ基板１２０外側表面に設けられる静電気防止用透明導電層１３１は接地接続されるが、例えば、アレイ基板１１０の突出部に、アースパッド（図示省略）を設け、静電気防止用透明導電層１３１とアースパッド間を導電テープ（図示省略）等を介して電気的に接続すれば良い。
【００４７】
なお、静電気防止用透明導電層１３１上は、大部分が、偏光板１３２ａにより覆われているが、カラーフィルタ基板１２０の端部において、一部、偏光板１３２ａにより覆われない露出部が形成される。その静電気防止用透明導電層１３１の露出部に上述した導電テープが貼り付けられ静電気防止用透明導電層１３１に接続される。
【００４８】
＜液晶モジュールの構成＞
以上説明した実施の形態１の液晶パネル１００を有した液晶モジュール１０の断面構成の一例を図３に示す。
【００４９】
図３に示すように、液晶モジュール１０は、光源となるバックライト４の光出射面上に液晶パネル１００が配置された状態で樹脂などで構成される有底無蓋の箱状のリアフレーム１内に収納され、リアフレーム１の開口部側を覆うように金属などで構成されるフロントフレーム３が被せられた構成となっている。
【００５０】
フロントフレーム３は、液晶パネル１００の画像を表示する表示面に対応する部分が開口部２となっている。
【００５１】
なお、バックライト４と液晶パネル１００との間にはバックライト４からの光の指向性などを制御する複数の光学シート５が配置されている。
【００５２】
また、実施の形態１の液晶パネル１００を有した液晶モジュール２０の断面構成の一例を図４に示す。
【００５３】
図４に示す液晶モジュール２０は、図３に示した液晶モジュール１０の構成に、リアフレーム１の前面側に貼り付けられた光透過性保護板（ガラス基板、樹脂基板、タッチパネルなど）である前面パネル６が追加された構成となっている。
【００５４】
この構成においては、前面パネル６と液晶パネル１００との間、すなわちフロントフレーム３の開口部２内に、空気層が形成されることを防止する注入樹脂や光透過性粘着シート等で構成される樹脂層７が配設されており、グラスボンディング構造となっている。
【００５５】
＜光学設計について＞
以下、本発明の特徴部分となる偏光板１３２ａ、偏光板１３２ｂ、位相差フィルム１３２ｃおよび２軸位相差フィルム１３２ｄに関しての光学設計について説明する。
【００５６】
図５は、実施の形態１の液晶パネル１００に施された光学設計を示す図である。図５に示されるように、液晶パネル１００においては、視野角特性を向上させるために、ＣＦ基板１２０の外側に２軸位相差フィルム１３２ｄが配置されている。
【００５７】
すなわち、液晶パネルの視認方向について、特別な指向性を持たせずに正面から視認する場合において、コントラストが最も高くなる設定とする場合には、偏光板１３２ａ、偏光板１３２ｂ、位相差フィルム１３２ｃおよび２軸位相差フィルム１３２ｄの光学設計は図５に示す構成となる。
【００５８】
液晶の配向方向(配向膜に対してラビングなどの配向処理が実施された方向)が０°すなわち水平方向である場合であって、液晶分子ＬＭが、その長軸と配向方向とのなす角度で定義されるプレチルト角θが、アレイ基板１１０側では３時の方向が基板より離れるようにチルトしており、ＣＦ基板１２０側では９時の方向が基板より離れるようにチルトしている液晶パネルにおいて、２軸位相差フィルム１３２ｄを、その遅相軸方向が、液晶の配向方向に対して直交する９０°方向（矢示方向）となるように配置している。なお、チルト角θは２°以下である。
【００５９】
また、応力印加時における斜め方向の光漏れを改善するために、当該応力印加時にアレイ基板１１０に斜め方向に発生する４５°方向の位相差（アレイ基板の複屈折方向に相当）に対して、直交する方向となる１３５°方向（矢示方向）の遅相軸を有すると共に、応力印加時に斜め方向に発生する位相差と正負逆の位相差を有する位相差フィルム１３２ｃをアレイ基板１１０と偏光板１３２ｂとの間に配置している。ここで、この位相差フィルム１３２ｃの位相差の絶対値としては、応力印加時にアレイ基板１１０に発生する位相差を概ねキャンセルできる程度として、例えば、１ｎｍ程度の位相差を生ずるように設定した。
【００６０】
また、図５に示されるように、ＣＦ基板１２０側の偏光板１３２ａは、その吸収軸方向が０°方向（液晶の配向方向）となるように配置し、アレイ基板１１０側の偏光板１３２ｂは、その吸収軸方向は９０°方向（矢示方向）となるように配置している。なお、バックライトからの光は矢示のようにアレイ基板１１０側から入射する。
【００６１】
図６は、アレイ基板１１０の対向電極１１３と画素電極１１２との関係を示す図である。図６に示すように、アレイ基板１１０の対向電極１１３が、そのスリットＳＬ（または開口部）の延在方向が液晶パネルの水平方向（０°方向）に対して０°〜１５°の角度で傾いて形成されている。より具体的には、スリットＳＬは、画素電極１１２の長手方向の中央部を対称軸として上下対称に配置されている。そして、液晶分子ＬＭの配向方向は、液晶パネルの水平方向と一致するように設定されている。
【００６２】
以上説明した光学設計が実施された液晶パネル１００を備えた液晶表示装置における視野角コントラストの改善効果について以下に説明する。
【００６３】
比較例として通常の光学設計が施された液晶表示装置の構成の図７に示し、当該液晶表示装置で得られる平常時の視野角特性（応力印加なし)を図８に、応力印加時の視野角特性を図９に示している。
【００６４】
図７に示す通常の光学設計では、アレイ基板１１０と偏光板１３２ｂとの間には位相差フィルム１３２ｃは配置されていない。なお、その他、図５に示した光学設計と同じ構成には同じ符号を付し、重複する説明は省略する。
【００６５】
図７に示す通常の光学設計では、平常時の視野角特性は、図８に示されるように斜め方向から見ても高いコントラスト特性が得られ、広視野角な視野角特性を得ることができる。
【００６６】
すなわち、図８はコントラスト特性を等コントラスト曲線で示す図であり、一連の曲線は同じコントラスト値を示しており、外側の曲線ほどコントラスト値が低く、中央に向かうほどコントラスト値が高くなっており中央で最大値となっている。図８では、パネル面に対して水平方向（０°、１８０°方向）、垂直方向（９０°、２７０°方向）と、これら以外の斜め方向とで、中央のコントラスト値（最大値）に大きな違いはなく、斜め方向から見ても高いコントラスト特性が得られることが判る。
【００６７】
一方、液晶パネルに応力が印加され、パネル面に対して斜め方向に位相差が発生すると、斜め方向の視野角特性が低下する。
【００６８】
図１０は、液晶パネルへの応力印加の一例を模式的に示す図であり、アレイ基板１１０およびＣＦ基板１２０の対角位置にある２つの角部において、主面に対して垂直上方に引っ張り応力が印加され、矢示方向に反りが発生した場合を示している。この場合、アレイ基板１１０に４５°方向（矢示）、ＣＦ基板１２０に１３５°方向（矢示）の複屈折が発生する。なお、複屈折の方向は位相差に相当する。
【００６９】
この結果、図９に示すコントラスト特性のように、斜め方向に等コントラスト曲線が歪み、斜め方向での視野角特性が悪くなるっている。
【００７０】
これに対し、図５に示した光学設計を施した実施の形態１の液晶表示装置においては、アレイ基板１１０と偏光板１３２ｂとの間に位相差フィルム１３２ｃを配置することで、液晶パネルに印加される応力によりアレイ基板１１０に発生する４５°方向の位相差をキャンセルすることができる。
【００７１】
図１１は、実施の形態１の液晶表示装置における応力印加時の視野角特性を示す図である。図１１に示すコントラスト特性においては、斜め方向における等コントラスト曲線の歪みが抑制され、図９に示した視野角特性と比較して、斜め方向での視野角特性が改善され、斜め方向の光漏れが改善されていることが判る。
【００７２】
なお、以上の説明においては、位相差フィルム１３２ｃの位相差の絶対値としては、応力印加時に発生する位相差を概ねキャンセルできる程度としたが、現実的には、液晶表示装置の使用時に想定される印加応力の最大値の半分程度で発生する位相差をキャンセルできる値に設定すると良い。
【００７３】
このように設定することにより、応力印加がない場合の視野角コントラストをそれ程低下させることなく応力印加時の視野角コントラストを有効に改善することができ、応力印加がある場合とない場合とで、視野角コントラストのバラツキを少なくすることができる。
【００７４】
＜変形例＞
以上説明した本実施の形態１においては、アレイ基板１１０側に応力印加による位相差をキャンセルする位相差フィルムを配置した光学設計を施した例を示したが、ＣＦ基板１２０側に、応力印加による位相差をキャンセルする位相差フィルムを配置した光学設計を施しても良い。この構成を図１２に示す。
【００７５】
図１２に示すように、ＣＦ基板１２０と２軸位相差フィルム１３２ｄとの間に、応力印加時にＣＦ基板１２０に斜め方向に発生する１３５°方向の位相差（アレイ基板の複屈折方向に相当）に対して、直交する方向となる４５°方向（矢示方向）の遅相軸を有すると共に、応力印加時に斜め方向に発生する位相差と正負逆の位相差を有する位相差フィルム１３２ｅを配置する。なお、その他の構成は図５に示した光学設計と同じであるが、アレイ基板１１０側には位相差フィルム１３２ｃは配置されていない。
【００７６】
これにより、液晶パネルに印加される応力によりＣＦ基板１２０に発生する１３５°方向の位相差をキャンセルすることができる。
【００７７】
図１３は、図１２に示した光学設計を施した液晶表示装置における応力印加時の視野角特性を示す図である。図１３に示すコントラスト特性においては、斜め方向における等コントラスト曲線の歪みが抑制され、図９に示した視野角特性と比較して、斜め方向での視野角特性が改善され、斜め方向の光漏れが改善されていることが判る。
【００７８】
＜適用例＞
図４を用いて説明した液晶モジュール２０は、リアフレーム１の前面側に貼り付けられた光透過性保護板である前面パネル６と液晶パネル１００との間に、注入樹脂や光透過性粘着シート等で構成される樹脂層７が配設されたグラスボンディング構造となっているが、このような液晶表示装置は、高温環境下などにおいて特定方向の反りなどを発生することから、斜め方向の光漏れによる視野角特性の劣化を起こし易い。従って、実施の形態１およびその変形例において説明した、応力印加による位相差をキャンセルするための位相差フィルムの位相差は、このグラスボンディング構造が適用される場合に想定される液晶パネルに印加される応力に基づいて設定することが望ましい。
【００７９】
これにより、比較的大きな応力が発生するグラスボンディング構造において、有効に視野角コントラストを改善することができる。
【００８０】
＜実施の形態２＞
以上説明した実施の形態１においては、アレイ基板１１０側に応力印加による位相差をキャンセルする位相差フィルムを配置した光学設計を施した例を示し、実施の形態１の変形例においては、ＣＦ基板１２０側に応力印加による位相差をキャンセルする位相差フィルムを配置した光学設計を施した例を示したが、両者を組み合わせることで、アレイ基板１１０側にもＣＦ基板１２０側にも応力印加による位相差をキャンセルする位相差フィルムを配置した光学設計を施しても良い。
【００８１】
すなわち、実施の形態２の液晶表示装置では、図１４に示すように、アレイ基板１１０と偏光板１３２ｂとの間に、応力印加時にアレイ基板１１０に斜め方向に発生する４５°方向の位相差（アレイ基板の複屈折方向に相当）に対して、直交する方向となる１３５°方向（矢示方向）の遅相軸を有すると共に、応力印加時に斜め方向に発生する位相差と正負逆の位相差を有する位相差フィルム１３２ｃを配置している。また、ＣＦ基板１２０と２軸位相差フィルム１３２ｄとの間に、応力印加時にＣＦ基板１２０に斜め方向に発生する１３５°方向の位相差（アレイ基板の複屈折方向に相当）に対して、直交する方向となる４５°方向（矢示方向）の遅相軸を有すると共に、応力印加時に斜め方向に発生する位相差と正負逆の位相差を有する位相差フィルム１３２ｅを配置している。ここで、この位相差フィルム１３２ｅの位相差の絶対値としては、応力印加時に発生する位相差を概ねキャンセルできる程度として、例えば、１ｎｍ程度の位相差を生ずるように設定した。なお、その他の構成は図５に示した光学設計と同じである。
【００８２】
これにより、液晶パネルに印加される応力によりアレイ基板１１０に発生する４５°方向の位相差をキャンセルすることができると共に、液晶パネルに印加される応力によりＣＦ基板１２０に発生する１３５°方向の位相差をキャンセルすることができる。
【００８３】
このような光学設計を施した液晶表示装置における応力印加時の視野角特性は図１３と同じとなり、斜め方向の光漏れと視野角特性が改善されることが判る。
【００８４】
なお、本実施の形態２においても、アレイ基板側およびＣＦ基板側に追加する位相差フィルムの位相差の絶対値としては、応力印加時に発生する位相差を概ねキャンセルできる程度としても良いが、現実的には、液晶表示装置の使用時に想定される印加応力の最大値の半分程度で発生する位相差をキャンセルできる値に設定すると良い。
【００８５】
このように設定することにより、応力印加がない場合の視野角コントラストをそれ程低下させることなく応力印加時の視野角コントラストを有効に改善することができ、応力印加がある場合とない場合とで、視野角コントラストのバラツキを少なくすることができる。
【００８６】
また、実施の形態１および実施の形態２においては、応力印加により発生する位相差をキャンセルするための位相差フィルムについて、設定する位相差の絶対値としては１ｎｍ程度とすることや、想定される印加応力の最大値の半分程度で発生する位相差をキャンセルできる値とすることを例示したが、これらの位相差フィルムは、複屈折（波長５５０ｎｍの光に対するＸ軸とＹ軸と屈折率の差）Δｎの値が、０．１×１０−３〜１．０×１０−３程度のフィルム材として、偏光板に積層する。
【００８７】
このように、位相差フィルムとして複屈折Δｎの値が比較的小さい材料を使用とすることで、当該位相差フィルムを比較的厚いシート材とすることができ、偏光板などの光学フィルム部材の積層構造に組み込むことができ、容易に製造することができる。
【００８８】
一方、応力印加により発生する位相差をキャンセルするための位相差フィルムの複屈折Δｎの値が、５．０×１０−３〜２．０×１０−２程度と比較的大きい場合には、当該位相差フィルムを薄膜（膜厚１ｎｍ〜１０００ｎｍ）として、ＣＦ基板やアレイ基板のガラス基板上、または偏光板を構成するフィルム部材の表面に成膜して形成すれば良い。
【００８９】
このようにすることで、単独のフィルム材として取り扱いの難しい比較的薄い位相差フィルムであっても実施の形態１および実施の形態２で説明した光学設計に容易に適用することができ、製造コストを低減することができる。
【００９０】
なお、本発明は、その発明の範囲内において、実施の形態を適宜、変形、省略することが可能である。
【符号の説明】
【００９１】
１００  液晶パネル、１１０  ＴＦＴアレイ基板、１２０  カラーフィルタ基板、１４０  液晶層、１３２ａ，１３２ｂ  偏光板、１３２ｃ，１３２ｅ  位相差フィルム、１３２ｄ  ２軸位相差フィルム。
【図１】
2016151729.tif 000003
【図２】
2016151729.tif 000004
【図３】
2016151729.tif 000005
【図４】
2016151729.tif 000006
【図５】
2016151729.tif 000007
【図６】
2016151729.tif 000008
【図７】
2016151729.tif 000009
【図１０】
2016151729.tif 000010
【図１２】
2016151729.tif 000011
【図１４】
2016151729.tif 000012
【図８】
2016151729.tif 000013
【図９】
2016151729.tif 000014
【図１１】
2016151729.tif 000015
【図１３】
2016151729.tif 000016